(57)【要約】マットレスは、上面を有する粘弾性発泡体の第１層と、第１層を支持する非粘弾性発泡体の層とを含む。マットレスは、また、上面の下に配置され、集まって隣接するボルスター要素の間に複数の谷を形成する複数の静止したボルスター要素を含む。粘弾性発泡体の第１層は、更に、ボルスター要素に対応する周辺の領域より、谷に対応するマットレスの領域で圧縮性を有する。ボルスター要素のそれぞれは、ボルスター要素に向かって押す人の上に、谷の１つを通る作用線を用いて、水平方向の成分を有する反作用力を及ぼすことができる。
2016501672.tif 000002
【特許請求の範囲】
【請求項１】
上面を有する粘弾性発泡体の第１層と、
第１層を支持する非粘弾性発泡体の層と、
上面の下に配置され、集まって隣接するボルスター要素の間に複数の谷を形成する複数の静止したボルスター要素と、を含み、
粘弾性発泡体の第１層は、更に、ボルスター要素に対応する周辺の領域より、谷に対応するマットレスの領域で圧縮性を有し、
ボルスター要素のそれぞれは、ボルスター要素に向かって押す人の上に、谷の１つを通る作用線を用いて、水平方向の成分を有する反作用力を及ぼすことができるマットレス。
【請求項２】
ボルスター要素は、マットレスの長さ方向に延びた請求項１に記載のマットレス。
【請求項３】
谷は、マットレスの長さ方向に延びた請求項２に記載のマットレス。
【請求項４】
ボルスター要素は、実質的にマットレスの全体の長さに延びた請求項２に記載のマットレス。
【請求項５】
ボルスター要素および谷は、平行である請求項１に記載のマットレス。
【請求項６】
ボルスター要素は、マットレスの厚さ方向に延びた請求項１に記載のマットレス。
【請求項７】
ボルスター要素は、粘弾性発泡体の第１層より大きな硬さを含む請求項１に記載のマットレス。
【請求項８】
粘弾性発泡体の第１層は、少なくとも約２０Ｎで約８０Ｎ以下の硬さを含む請求項７に記載のマットレス。
【請求項９】
非粘弾性発泡体の層は、ラテックス発泡体および高反発性ポリウレタン発泡体の１つである請求項１に記載のマットレス。
【請求項１０】
ラテックス発泡体は、少なくとも約３０Ｎで約１３０Ｎ以下の硬さを含み、高反発性ポリウレタン発泡体は、少なくとも約８０Ｎで約２００Ｎ以下の硬さを含む請求項９に記載のマットレス。
【請求項１１】
ラテックス発泡体は、少なくとも約４０ｋｇ／ｍ３で約１００ｋｇ／ｍ３以下の密度を含み、高反発性ポリウレタン発泡体は、少なくとも約１０ｋｇ／ｍ３で約８０ｋｇ／ｍ３以下の密度を含む請求項９に記載のマットレス。
【請求項１２】
粘弾性発泡体の第１層は、少なくとも約３０ｋｇ／ｍ３で約１５０ｋｇ／ｍ３以下の密度を含む請求項１に記載のマットレス。
【請求項１３】
ボルスター要素は、円形の断面形状を含む請求項１に記載のマットレス。
【請求項１４】
ボルスター要素は、円筒形であり、隣り合わせに配置された請求項１３に記載のマットレス。
【請求項１５】
それぞれの谷は、隣接する円筒形のボルスター要素の凸状の面のそれぞれにより形成される請求項１４に記載のマットレス。
【請求項１６】
ボルスター要素に向かって押す人に対応して、ボルスター要素の１つにより発揮される反作用力の作用線は、ボルスター要素の凸状の面に実質的に垂直に配置された請求項１５に記載のマットレス。
【請求項１７】
ボルスター要素は、非円形の断面形状である請求項１に記載のマットレス。
【請求項１８】
ボルスター要素は、六角形の断面形状を有し、ボルスター要素は、並んで配置された請求項１７に記載のマットレス。
【請求項１９】
それぞれの谷は、隣接する六角形のボルスター要素の平坦な面のそれぞれにより形成される請求項１８に記載のマットレス。
【請求項２０】
ボルスター要素に向かって押す人に対応して、ボルスター要素の１つにより発揮される反作用力の作用線は、ボルスター要素の平坦な面に実質的に垂直に配置された請求項１９に記載のマットレス。
【請求項２１】
ボルスター要素は、上面の下に配置される第１行と、第１行の下に配置される第２行に配置された請求項１に記載のマットレス。
【請求項２２】
第１行と第２行のボルスター要素は、列のアレイとしても整列する請求項２１に記載のマットレス。
【請求項２３】
隣接するボルスター要素は、連続する請求項１に記載のマットレス。
【請求項２４】
隣接するボルスター要素は、一体物として一体形成された請求項１に記載のマットレス。
【請求項２５】
ボルスター要素は、粘弾性発泡体の第１層または非粘弾性発泡体の非粘弾性発泡体層のいずれかより大きな硬さを含む請求項１に記載のマットレス。
【請求項２６】
ボルスター要素は、少なくとも約２００Ｎの硬さを含む請求項２５に記載のマットレス。
【請求項２７】
ボルスター要素は、ポリマー材料から形成された請求項１に記載のマットレス。
【請求項２８】
ボルスター要素は、ポリスチレン発泡体から形成された請求項１に記載のマットレス。
【請求項２９】
ボルスター要素は、非粘弾性発泡体の層の中に埋め込まれた請求項１に記載のマットレス。
【請求項３０】
ボルスター要素は、粘弾性発泡体の第１層と、非粘弾性発泡体の非粘弾性発泡体層との間に配置された請求項１に記載のマットレス。
【請求項３１】
上面を有する粘弾性発泡体の第１層と、
第１層を支持する非粘弾性発泡体の層と、
上面の下に配置され、集まって隣接するボルスター要素の間に複数の谷を形成する複数の静止したボルスター要素と、を含み、
ボルスター要素と谷は、マットレスの長さに平行な方向に延び、
ボルスター要素は、粘弾性発泡体の第１層の硬さの、少なくとも約２．５倍の硬さを含むマットレス。
【請求項３２】
粘弾性発泡体の第１層は、少なくとも約２０Ｎで約８０Ｎ以下の硬さを含む請求項３１に記載のマットレス。
【請求項３３】
ボルスター要素は、少なくとも２００Ｎの硬さを含む請求項３２に記載のマットレス。
【請求項３４】
ボルスター要素の硬さは、粘弾性発泡体の第１層の硬さの約２．５倍から約１０倍である請求項３１に記載のマットレス。
【請求項３５】
粘弾性発泡体の第１層は、更に、ボルスター要素に対応する周辺の領域より、谷に対応するマットレスの領域で圧縮性を有し、ボルスター要素のそれぞれは、ボルスター要素に向かって押す人の上に、谷の１つを通る作用線を用いて、水平方向の成分を有する反作用力を及ぼすことができた請求項３１に記載のマットレス。
【発明の詳細な説明】
【技術分野】
【０００１】
本発明は、マットレスに関し、特に、１またはそれ以上の発泡体の層を含むマットレスに関する。
【背景技術】
【０００２】
従来のマットレスは、多くの種類の形状および大きさが見られる。多くのマットレスは、全体または一部が発泡性材料から形成される。例えば、ポリウレタン発泡体が多くのマットレス、枕およびクッションに使用され、単独で、または他のタイプのクッション材料と組み合わせて使用される。多くのマットレスでは、粘弾性材料が使用され、使用者に順応しやすく、使用者の体重または他の負荷を分散できるマットレスが提供される。粘弾性発泡体の形状順応特性が、マットレスの使用に望まれるが、マットレスの上に支持された状態での、使用者の移動性（動きやすさ）を損なう。例えば、使用者は、位置を変えるために、マットレスの上で力を発揮するのが難しいかもしれない。幾つかの場合、損なわれた移動性は、少なくとも一部は、マットレスのデザインおよび／またはマットレスの様々な位置で使用される材料の選択による。
【０００３】
存在するマットレスの制限および多くの種類の応用における改良されたマットレスに対する消費者の要求の速無くとも一部に基づいて、技術が追加された新たなマットレスが歓迎される。
【発明の概要】
【０００４】
本発明は、１つの形態では、マットレスは、上面を有する粘弾性発泡体の第１層と、第１層を支持する非粘弾性発泡体の層とを含む。マットレスは、また、複数の固定したボルスター（補助枕）要素を含み、これらは上面の下方に配置され、共に一団となって隣接するボルスター要素の間に複数の谷を形成する。粘弾性発泡体の第１層は、ボルスター要素に一致する周囲の領域より、谷に一致するマットレスの領域において、更に圧縮性を有する。ボルスター要素のそれぞれは、ボルスター要素に向かって押す人の上に、谷の１つを通る作用線を用いて、水平方向の成分を有する反作用力を及ぼすことができる。
【０００５】
本発明は、他の形態では、マットレスは、上面を有する粘弾性発泡体の第１層と、第１層を支持する非粘弾性発泡体の層を含む。マットレスは、また、複数の固定したボルスター（補助枕）要素を含み、これらは上面の下方に配置され、共に一団となって隣接するボルスター要素の間に複数の谷を形成する。ボルスター要素と谷は、マットレスの長さ方向に平行な方向に延びて、ボルスター要素は、粘弾性発泡体の第１層の硬さの約２．５倍の硬さを含む。
【０００６】
本発明の他の特徴および形態は、以下の詳細な説明および添付の図面を考慮することにより明らかになるであろう。
【図面の簡単な説明】
【０００７】
【図１】本発明の第１の具体例にかかるマットレスの斜視図である。
【図２】図１の線２−２に沿った、図１のマットレスの断面図である。
【図３】本発明の第２の具体例にかかるマットレスの斜視図である。
【図４】図３の線４−４に沿った、図３のマットレスの断面図である。
【図５】本発明の第３の具体例にかかるマットレスの斜視図である。
【図６】図５の線６−６に沿った、図３のマットレスの断面図である。
【図７】本発明の第４の具体例にかかるマットレスの斜視図である。
【図８】図７の線８−８に沿った、図３のマットレスの断面図である。
【図９】本発明の第５の具体例にかかるマットレスの斜視図である。
【図１０】図９の線１０−１０に沿った、図９のマットレスの断面図である。
【図１１】本発明の第６の具体例にかかるマットレスの斜視図である。
【図１２】図１１の線１２−１２に沿った、図１１のマットレスの断面図である。
【０００８】
本発明の具体例を詳細に説明する前に、本発明は、その応用において、以下の記載中や添付の図面中に記載された、構造の詳細および構成要素の配置に限定されないことが理解される。本発明は、他の具体例を可能とし、および多くの方法での実施または実行が可能となる。また、ここで使用される表現や用語は、記載のためであり、限定するものとみなすべきではない。
【発明を実施するための形態】
【０００９】
図１は、本発明の具体例にかかるマットレス１１０を示す。マットレス１１０は、上面１１４、底面１１８、および上面１１４と底面１１８との間の厚さｔ（図２）を含む。マットレス１１０は、実質的には矩形形状で、長さＬおよび幅Ｗを含む（図１）。他の具体例では、マットレス１１０は、複数の異なる形状を含んでも良い。
【００１０】
図１、２に示すように、マットレス１１０の記載された具体例では、上面１１４および底面１１８は実質的に平坦である。代わりに、上面および底面１１４、１１８のいずれか、または双方は、平坦ではなく、リブ、凹凸、うねり、および他の突出した形状や大きさを有する限定された表面だけではなく、溝や他の開口部等を含む表面も含んでも良い。
【００１１】
図２に関して、マットレス１１０は、柔らかくて快適な触覚をマットレス１１０に与えるのに影響する複数の発泡体層を含み、使用者に適当な支持を与える。記載された具体例では、マットレス１１０は、第１のまたは上部の粘弾性発泡体層１２２と、第２のまたは下層の非粘弾性発泡体層１２６とを含み、それらは、ラテックス、標準ポリウレタン発泡体、高反発性ポリウレタン発泡体、または拡張ポリマー（例えば、拡張エチレンビニルアセテート、ポリプロピレン、ポリスチレン、またはポリエチレン）を含んでも良い。粘弾性発泡体層１２２は、粘弾性発泡体に関連する、体に合った低反発性の品質を有し、一方、非粘弾性発泡体層は、従来のバネ系マットレスに一般に関連するマットレス１１０にいくらかの程度の反発性または跳ね返り（bounce）を拡張しおよび／または与える。
【００１２】
図２を引き続き参照して、粘弾性発泡体層１２２は、上面１２２ａおよび底面１２２ｂを含む。記載された具体例では、上面１２２ａは、マットレス１１０の上面１１４を占める。他の具体例では、パッド、トッパー、または１またはそれ以上の発泡体または非発泡体が、上面１２２ａの上に配置される。図１に記載された具体例では、上面１２２ａと底面１２２ｂの双方は実質的に平坦である。他の具体例では、上面１２２ａと底面１２２ｂの少なくとも一方は平坦ではなく、リブ、凹凸、うねり、および他の突出した形状や大きさを有する限定された表面だけではなく、粘弾性発泡体層１２２を通って部分的にまたは全体に延びる溝や他の開口部等を含む表面も含んでも良い。
【００１３】
幾つかの具体例では、粘弾性発泡体層１２２は、所望の柔らかさと体に合う品質のために、少なくとも２約０Ｎで約８０以下の硬さ（hardness）を有する。他の具体例では、粘弾性発泡体層１２２は、少なくとも約３０で約７０Ｎ以下の硬さを有する。更に他の具体例では、粘弾性発泡体層１２２は、少なくとも約４０Ｎで約６０Ｎ以下の硬さを有する。特段の定めが無い限り、ここで言及された発泡材料の硬さは、国際標準化機構（ＩＳＯ）２４３９硬度測定標準に従って、材料のサンプルに向かう面から圧力をかけて、おおよそ室温（例えば２１〜２３℃）で、材料の最初の厚さの４０％圧縮し、４０％圧縮を所定の時間保持することで測定される。
【００１４】
粘弾性発泡体層１２２は、また、比較的高い程度の材料耐久性を提供する密度を含む。粘弾性発泡体層１２２の密度は、粘弾性発泡体層１２２が圧力、および発泡体の感触に対応する方法のような、発泡体の他の特徴に影響する。幾つかの具体例では、粘弾性発泡体層１２２は、約３０ｋｇ／ｍ３以上で約１５０ｋｇ／ｍ３以下の密度を有する。他の具体例では、粘弾性発泡体層１２２は、約４０ｋｇ／ｍ３以上で約１３５ｋｇ／ｍ３以下の密度を有する。更に他の具体例では、粘弾性発泡体層１２２は、約５０ｋｇ／ｍ３以上で約１２０ｋｇ／ｍ３以下の密度を有する。
【００１５】
図１、２を参照して、マットレス１１０の粘弾性発泡体層１２２は、細胞構造を有し、個々のセルの壁は、実質的に損傷が無い（即ち、非網状粘弾性発泡体）。他の具体例では、粘弾性発泡体層１２２は、網状でも良い。網状の粘弾性発泡体は、マットレス１１０に使用するのに適した特徴を有し、そこを通る空気の移動を許容する（即ち、非網状粘弾性発泡体に比較した場合に）拡張された性能を有し、これにより、粘弾性発泡体層１２２の中で、そこを通って、そこから遠くへの拡張した空気および／または熱の移動を提供する。網状の発泡体は、細胞発泡体構造であり、発泡体のセルは本質的に骨格である。換言すれば、網状発泡体のセルは、それぞれが、セルの支柱で囲まれた開口された複数のウインドウによりそれぞれが定義される。網状発泡体のセルウインドウは、（セルの支柱のみを残し）全体が消失し、または実質的に消失しても良い。幾つかの具体例では、セルのウインドウの少なくとも５０％が無い場合（即ち、そこを通る開口部を有するウインドウ、または完全に消失し、それゆえにセルの支柱のみが残ったウインドウ）、発泡体は「網状」と考えられる。そのような構造は、セルウインドウ材料の破壊または除去、または発泡体の製造プロセス中にセルウインドウの完全な形成を阻止することで形成される。
【００１６】
引き続き図１、２を参照して、第２のまたは非粘弾性発泡体層１２６は上面１２６ａおよび底面１２６ｂを含む。上面１２６ａは粘弾性発泡体層１２２の底面１２２ｂに隣接して配置され、非粘弾性発泡体層１２６は粘弾性発泡体層１２２を支持する。いくつかの具体例では、粘弾性発泡体層１２２は、固定されることなく非粘弾性発泡体層１２６の上に横たえられる。しかしながら、他の具体例では、層１２２、１２６は、接着剤、または粘着性接着材料により、および／または層１２２、１２６の作製中に互いに接続することにより、互いに固定されても良い。テープ、フック、およびループの固定材料、従来の固定具、層１２２、１２６の少なくとも一部を通って延びるステッチ、または多くの異なった構造またはプロセスが、層１２２、１２６を互いに固定するために使用される。例えば、接着ストリップ（図示せず）が層１２２、１２６の間に配置される。そのような接着剤は、マットレス１１０の全体の幅および長さを横切って延び、または幾つかの具体例では、代わりに、マットレスの幅および／または長さの個別の部分のみを横切って延びても良い。そのような接着ストリップは、他のより従来の接着剤より柔らかい構造を形成するために十分に撓む。
【００１７】
図１、２に示すように、記載されたマットレス１１０の具体例では、非粘弾性発泡体層１２６の上面１２６ａおよび底面１２６ｂの双方は、実質的に平坦である。他の具体例では、上面１２２ａと底面１２２ｂの少なくとも一方は平坦ではなく、リブ、凹凸、うねり、および他の突出した形状や大きさを有する限定された表面だけではなく、非粘弾性発泡体層１２６を通って部分的にまたは全体に延びる溝や他の開口部等を含む表面も含む。
【００１８】
マットレス１１０の幾つかの具他例では、非粘弾性発泡体層１２６は、少なくとも約３０で約１３０Ｎ以下の硬さを有するラテックスの発泡体を含み、上述の粘弾性発泡体層１２２と共に使用した場合に、所望の全体の硬さ及び反発力となる。他の具体例では、非粘弾性発泡体層１２６は、少なくとも約８０Ｎで約２００Ｎ以下の硬さを有する高反発性ポリウレタン発泡体を含む。更に他の具体例では、非粘弾性発泡体層１２６は、この目的のために、少なくとも約４０で約１２０以下の硬さを有する。他の具体例では、非粘弾性発泡体層１２６は、少なくとも約５０Ｎで約１１０Ｎ以下の硬さを有する。
【００１９】
いくつかの具体例では、非粘弾性発泡体層１２６は、約４０ｋｇ／ｍ３以上で約１００ｋｇ／ｍ３以下の密度を有するラテックス発泡体を含む。他の具体例では、非粘弾性発泡体層１２６は、約１０ｋｇ／ｍ３以上で約８０ｋｇ／ｍ３以下の密度を有する高反発性ポリウレタン発泡体を含む。更に他の具体例では、非粘弾性発泡体層１２６は、少なくとも約５０ｋｇ／ｍ３で約１００ｋｇ／ｍ３以下の密度を有する。他の具体例では、非粘弾性発泡体層１２６は、少なくとも約６０ｋｇ／ｍ３以上で約１００ｋｇ／ｍ３以下の密度を有する。
【００２０】
引き続き図１、２を参照して、マットレス１１０は、粘弾性発泡体層１２２の上面１２２ａの下に配置された複数のボルスター要素１３０を含む。記載された具体例では、ボルスター要素１３０は、マットレス１１０の全体の長さＬを通って延び、非粘弾性発泡体層１２６の中に配置される。特に、ボルスター要素１３０は、上面１２６ａと底面１２６ｂとの間に配置され、ボルスター要素１３０は実質的に非粘弾性発泡体層１２６により包まれても良い。しかしながら、ボルスター要素１３０は、非粘弾性発泡体層１２６により包まれるだけでなく、粘弾性発泡体層１２２の上面１２２ａと、非粘弾性発泡体層１２６の下面１２６ｂとの間に、厚さｔに沿ったいずれの点でマットレス１１０を通って延びても良い。更に、ボルスター要素１３０は、マットレス１１０の長さＬより短くても良い。
【００２１】
記載されたマットレス１１０の具体例では、ボルスター要素１３０は、全体が六角形の断面形状を有し、複数のボルスター要素１３０のそれぞれは、実質的に同一である。隣接するボルスター要素１３０は連続して配置され、隣接するボルスター要素１３０は、互いに接する。他の具体例では、隣接するボルスター要素１３０は、間を隔てても、重なっても良い。更に、他の断面形状を有するボルスター要素１３０がマットレス１１０中で使用されても良い。
【００２２】
ボルスター要素１３０は、ポリスチレン発泡体のような、好適な高反発性ポリマー材料から形成されても良い。いくつかの具体例では、ボルスター要素１３０は、拡張ポリマー（例えば、拡張エチレンビニルアセテート、ポリプロピレン、ポリエチレン等）を含んでも良い。ボルスター要素１３０は、好適なプロセス（例えば、直接拡張発泡体射出成形）でそれぞれ形成されても良い。他の具体例では、ボルスター要素１３０は、一体成形で互いに形成しても良い。ボルスター要素１３０は、非粘弾性発泡体層１２６から分離して形成され、続いて層１２６の中に配置され（例えば、層１２６の中に形成され、またはそうでなければ作り出されたキャビティ中に）、またはボルスター要素１３０は、同時射出成形プロセスを用いて、非粘弾性発泡体層１２６と同時に形成しても良い。マットレス１１０の記載された具体例では、ボルスター要素１３０は少なくとも２００Ｎの硬さを有する。幾つかの具体例では、ボルスター要素１３０は、粘弾性発泡体層１２２の少なくとも約２．５の硬さを有し、そして粘弾性発泡体層１２２の硬さの約１０倍以下の硬さを有する。そのような具体例では、ボルスター要素１３０は非粘弾性発泡体層１２６より大きな硬さを有し、非粘弾性発泡体層１２６の硬さの少なくとも１．１倍より大きな硬さを有し、または（他の具体例では）非粘弾性発泡体層１２６の少なくとも１．５倍より大きな硬さを有し、または（更に他の具体例では）非粘弾性発泡体層１２６の少なくとも２倍より大きな硬さを有する。
【００２３】
図２を参照すると、複数の谷１３４が隣接するボルスター要素１３０の間に形成される。それぞれの谷１３４は、隣接するボルスター要素１３０の互いに面する斜めの面１３８により形成される。マットレス１１０の記載された具体例では、谷１３４はボルスター要素１３０と共に、マットレス１１０の全体の長さＬに沿って延びる。（例えば、使用者の体重や運動に応じて）力を加えた場合、谷１３４を囲むマットレス１１０の領域１３２より、谷１３４に対応するマットレス１１０の領域１３６で、粘弾性発泡体層１２２は更に変形し、圧縮される。これは、層１２２、１２６に比較してボルスター要素１３０が比較的硬いことによる。このように、使用者は、発泡体層１２２、１２６が谷１３４の中に圧縮されることで、ボルスター要素１３０の位置を感じることができる。
【００２４】
谷１３４は、使用者に、マットレス１１０上での移動性（即ち、初期移動のてこの作用）が増加する、マットレス１１０上の位置または領域１３６を提供する。例えば、図２に記載されたように、使用者が移動または位置の変化を望んだ場合、使用者は、谷１３４の１つを通る作用線を有する、マットレス１１０上の力Ｆを発揮する。反作用力Ｒは、ボルスター要素１３０により、使用者の上に行使される。特別な作用力Ｆの作用線に依存して、反作用力Ｒは、ボルスター要素１３０の表面１３８に垂直な作用線を有する。反作用力Ｒは、少なくとも水平力と垂直力のベクトル成分Ｒｘ、Ｒｙに分解される。成分Ｒｘは、以降、水平成分と呼ぶ。
【００２５】
１またはそれ以上のボルスター要素１３０により、使用者に行使される反作用力Ｒの水平成分Ｒｘは、使用者が水平方向に塊（例えば、使用者の体）を加速するのを可能にする。これは、マットレス１１０での使用者の水平移動を容易にし、使用者が、より少ない努力で、転がり、回転し、またはマットレス１１０の外に動くのを可能にする。粘弾性発泡体を含む幾つかの従来のマットレスでは、粘弾性発泡体の形状復元特性が、発泡体中に使用者が「沈む（sink）」ようにし、これにより使用者の水平移動を禁止し、転がり、回転し、従来のマットレスから外に動く場合に、使用者は奮闘努力することになる。
【００２６】
図３、４は、本発明の他の具体例にかかるマットレス２１０を示す。この具体例は、図１、２と関係して上で述べたマットレス１１０の具体例と、多くで同じ構造を採用し、同じ特性を有する。このように、以下の記載は、図１、２に関係して上で述べた具体例と異なる構造および特性に主に焦点を当てる。構造および特性に関する追加の情報のために、および図３、４に記載され、以下で説明されるマットレスの代わりにありそうな構造および特性については、図１、２に関係する上記開示を参照すべきである。図１、２に示された具体例の構造および特性に対応する、図３、４に示された具体例の構造および特性はこれ以降、２００番台の参照番号で示される。
【００２７】
図３を参照すると、マットレス２１０は、上面２１４、底面２１８、および上面２１４と底面２１８の間の厚さｔ（図４）を含む、マットレス２１０は、実質的に矩形形状であり、長さ寸法Ｌと幅寸法Ｗを有する（図３）。図３、４に示すようなマットレス２１０の記載された具体例では、上面２１４および底面２１８は、実質的に平坦である。
【００２８】
マットレス２１０は、第１または上部の粘弾性発泡体層２２２と、第２のまたは下部の非粘弾性発泡体層２２６とを含む。粘弾性発泡体層２２２は、粘弾性発泡体に関して体に合った低反発性の品質を提供し、一方、非粘弾性発泡体層は、従来のバネ系マットレスに一般に関連するマットレス２１０にいくらかの程度の反発性または跳ね返り（bounce）を拡張しおよび／または与える。
【００２９】
上述のマットレス１１０のように、マットレス２１０は、粘弾性発泡体層２２２の上面２２２ａの下に配置される複数のボルスター要素２３０を含む。記載された具体例では、ボルスター要素２３０は、マットレス２１０の全体の長さＬに沿って延び、非粘弾性発泡体層２２６の中に配置される。特に、ボルスター要素２３０は、非粘弾性発泡体層２２６の上面２２６ａと底面２２６ｂとの間に配置され、ボルスター要素２３０は、実質的に、非粘弾性発泡体層２２６に包まれる。しかしながら、ボルスター要素２３０は、非粘弾性発泡体層２２６に包まれるものに限定されず、粘弾性発泡体層２２２の上面２２２ａと非粘弾性発泡体層２２６の底面２２６ｂとの間の厚さｔに沿ったいずれの点で、マットレス２１０を通って延びても良い。更に、ボルスター要素２３０は、マットレス２１０の長さＬより短くても良い。
【００３０】
記載されたマットレス２１０の具体例では、ボルスター要素２３０は、全体が円形の断面形状を有し、複数のボルスター要素２３０のそれぞれは、実質的に同じである。隣接するボルスター要素２３０は連続して配置され、隣接するボルスター要素２３０は互いに接する。他の具体例では、隣接するボルスター要素２３０は、間を隔てるか重なる。更に、他の断面形状を有するボルスター要素２３０が、マットレス２１０に使用されても良い。
【００３１】
上述のボルスター要素２３０のように、ボルスター要素２３０は、好適な高反発性のポリマー材料、例えばポリスチレン発泡体から形成される。幾つかの具体例では、ボルスター要素２３０は、拡張ポリマー（例えば、拡張エチレンビニルアセテート、ポリプロピレン、ポリエチレン等）を含んでも良い。ボルスター要素２３０は、適当なプロセス（例えば、直接拡張発泡体射出成形）でそれぞれ形成されても良い。他の具体例では、ボルスター要素２３０は、一体成形で互いに形成しても良い。ボルスター要素２３０は、非粘弾性発泡体層２２６から分離して形成され、続いて層２２６の中に配置され（例えば、層２２６の中に形成され、またはそうでなければ作り出されたキャビティ中に）、またはボルスター要素２３０は、同時射出成形プロセスを用いて、非粘弾性発泡体層２２６と同時に形成しても良い。記載されたマットレス２１０の具体例では、ボルスター要素２３０は、少なくとも約２００Ｎの硬さを有する。幾つかの具体例では、ボルスター要素２３０は、粘弾性発泡体層２２２の硬さの少なくとも約２．５倍で、粘弾性発泡体層２２２の硬さの約１０倍以下の硬さを有する。そのような具体例では、また、ボルスター要素２３０は、非粘弾性発泡体層２２６の硬さより大きな硬さを有し、例えば非粘弾性発泡体層２２６の硬さの少なくとも１．１倍、または（他の具体例では）非粘弾性発泡体層２２６の硬さの少なくとも１．５倍、または（更に他の具体例では）非粘弾性発泡体層２２６の硬さの少なくとも２倍の硬さを有する。
【００３２】
図４に関して、複数の谷２３４が、隣接するボルスター要素２３０の間に形成される。それぞれの谷２３４は、隣接するボルスター要素２３０の、それぞれが面し、斜めの面２３８により形成される。記載されたマットレス２１０の具体例では、谷２３４は、ボルスター要素２３０を有するマットレス２１０の全体の長さＬに沿って延びる。（例えば使用者の体重や活動に応じて）力を加えた場合、谷２３４を囲むマットレス２１０の領域２３２より、谷２３４に対応するマットレス２１０の領域２３６で、粘弾性発泡体層２２２は更に変形し、圧縮される。これは、層２２２、２２６に比較してボルスター要素２３０が比較的硬いことによる。このように、使用者は、発泡体層２２２、２２６が谷２３４の中に圧縮されることで、ボルスター要素２３０の位置を感じることができる。
【００３３】
谷２３４は、使用者に、マットレス２１０上での移動性（即ち、初期移動のてこの作用）が増加する、マットレス２１０上の位置または領域２３６を提供する。例えば、図４に記載されたように、使用者が移動または位置の変化を望んだ場合、使用者は、谷２３４の１つを通る作用線を有する、マットレス２１０上の力Ｆを発揮する。対応する反作用力Ｒは、ボルスター要素２３０により、使用者の上に行使される。特別な作用力Ｆの作用線に依存して、反作用力Ｒは、ボルスター要素２３０の表面２３８に垂直な作用線を有する。反作用力Ｒは、少なくとも水平力と垂直力のベクトル成分Ｒｘ、Ｒｙに分解される。
【００３４】
１またはそれ以上のボルスター要素２３０により、使用者に行使される反作用力Ｒの水平成分Ｒｘは、使用者が水平方向に塊（例えば、使用者の体）を加速するのを可能にする。これは、マットレス２１０での使用者の水平移動を容易にし、使用者が、より少ない努力で、転がり、回転し、またはマットレス２１０の外に動くのを可能にする。粘弾性発泡体を含む幾つかの従来のマットレスでは、粘弾性発泡体の形状復元特性が、発泡体中に使用者が「沈む」ようにし、これにより使用者の水平移動を禁止し、転がり、回転し、従来のマットレスから外に動く場合に、使用者は奮闘努力することになる。
【００３５】
図５、６は、本発明の他の具体例にかかるマットレス３１０を示す。この具体例は、図１〜４と関係して上で述べたマットレス１１０、２１０の具体例と、多くで同じ構造を採用し、同じ特性を有する。このように、以下の記載は、図１〜４に関係して上で述べた具体例と異なる構造および特性に主に焦点を当てる。構造および特性に関する追加の情報のために、および図５、６に記載され、以下で説明されるマットレス３１０の代わりにありそうな構造および特性については、図１〜４に関係する上記開示を参照すべきである。図１〜４に示された具体例の構造および特性に対応する、図５、６に示された具体例の構造および特性はこれ以降、３００番台の参照番号で示される。
【００３６】
図５を参照すると、マットレス３１０は、上面３１４、底面３１８、および上面３１４と底面３１８の間の厚さｔ（図６）を含む、マットレス３１０は、実質的に矩形形状であり、長さ寸法Ｌと幅寸法Ｗを有する（図１）。図５、６に示すようなマットレス３１０の記載された具体例では、上面３１４および底面３１８は、実質的に平坦である。
【００３７】
マットレス３１０は、第１または上部の粘弾性発泡体層３２２と、第２のまたは下部の非粘弾性発泡体層３２６とを含む。粘弾性発泡体層３２２は、粘弾性発泡体に関して体に合った低弾性の品質を提供し、一方、非粘弾性発泡体層は、従来のバネ系マットレスに一般に関連するマットレス３１０にいくらかの程度の反発性または跳ね返り（bounce）を拡張しおよび／または与える。
【００３８】
上述のマットレス１１０、２１０のように、マットレス３１０は、粘弾性発泡体層３２２の上面３２２ａの下に配置される複数のボルスター要素３３０を含む。記載された具体例では、ボルスター要素３３０は、マットレス３１０の全体の長さＬに沿って延び、非粘弾性発泡体層３２６の中に配置される。特に、ボルスター要素３３０は、非粘弾性発泡体層３２６の上面３２６ａと底面３２６ｂとの間に配置され、ボルスター要素３３０は、実質的に、非粘弾性発泡体層３２６に包まれる。しかしながら、ボルスター要素３３０は、非粘弾性発泡体層３２６に包まれるものに限定されず、粘弾性発泡体層３２２の上面３２２ａと非粘弾性発泡体層３２６の底面３２６ｂとの間の厚さｔに沿ったいずれの点で、マットレス２１０を通って延びても良い。更に、ボルスター要素３３０は、マットレス３１０の長さＬより短くても良い。
【００３９】
図６を参照すると、ボルスター要素３３０は、全体が六角形の断面形状を有し、複数のボルスター要素３３０のそれぞれは、実質的に同じである。更に、ボルスター要素３３０は、第１行３４０と、第１行と実質的に同じ第２行３４４中に配置される。水平に隣接するボルスター要素３３０は、第１行３４０および第２行３４４の双方に連続して配置され、隣接するボルスター要素３３０は互いに接する。第１行３４０は、また第２行３４４と連続して配置され、垂直に隣接するボルスター要素３３０は、実質的に整列し、互いに接しても良い。他の具体例では、隣接するボルスター要素３３０は、間を隔てるか重なる。更に、他の断面形状を有するボルスター要素３３０が使用されても良く、幾つかの行のボルスター要素３３０が使用されても良く、垂直に隣接したボルスター要素３３０の行は、互いに対して、それぞれ好適な方法で（例えば、間を隔てて、入れ子状に等）配置されても良い。
【００４０】
上述のボルスター要素１３０、２３０のように、ボルスター要素３３０は、好適な高い反発性のポリマー材料、例えばポリスチレン発泡体から形成される。幾つかの具体例では、ボルスター要素３３０は、拡張ポリマー（例えば、拡張エチレンビニルアセテート、ポリプロピレン、ポリエチレン等）を含んでも良い。ボルスター要素３３０は、適当なプロセス（例えば、直接拡張発泡体射出成形）でそれぞれ形成されても良い。他の具体例では、ボルスター要素３３０は、一体成形で互いに形成しても良い。ボルスター要素３３０は、非粘弾性発泡体層３２６から分離して形成され、続いて層３２６の中に配置され（例えば、層３２６の中に形成され、またはそうでなければ作り出されたキャビティ中に）、またはボルスター要素３３０は、同時射出成形プロセスを用いて、非粘弾性発泡体層３２６と同時に形成しても良い。記載されたマットレス３１０の具体例では、ボルスター要素３３０は、少なくとも約２００Ｎの硬さを有する。幾つかの具体例では、ボルスター要素３３０は、粘弾性発泡体層３２２の硬さの少なくとも約２．５倍で、粘弾性発泡体層３２２の硬さの約１０倍以下の硬さを有する。そのような具体例では、また、ボルスター要素は、非粘弾性発泡体層３２６の硬さより大きな硬さを有し、例えば非粘弾性発泡体層３２６の硬さの少なくとも１．１倍、または（他の具体例では）非粘弾性発泡体層３２６の硬さの少なくとも１．５倍、または（更に他の具体例では）非粘弾性発泡体層３２６の硬さの少なくとも２倍の硬さを有する。
【００４１】
図６に関して、複数の谷３３４が、第１行３４０中の隣接するボルスター要素３３０の間に形成される。それぞれの谷３３４は、隣接するボルスター要素３３０の、それぞれが面し、斜めの面３３８により形成される。記載されたマットレス３１０の具体例では、谷３３４は、ボルスター要素３３０を有するマットレス３１０の全体の長さＬに沿って延びる。（例えば使用者の体重や活動に応じて）力を加えた場合、谷３３４を囲むマットレス３１０の領域３３２より、谷３３４に対応するマットレス３１０の領域３３６で、粘弾性発泡体層３２２は更に変形し、圧縮される。これは、層３２２、３２６に比較してボルスター要素３３０が比較的硬いことによる。このように、使用者は、発泡体層３２２、３２６が谷３３４の中に圧縮されることで、ボルスター要素３３０の位置を感じることができる。
【００４２】
谷３３４は、使用者に、マットレス３１０上での移動性（即ち、初期移動のてこの作用）が増加する、マットレス３１０上の位置または領域３３６を提供する。例えば、図６に記載されたように、使用者が移動または位置の変化を望んだ場合、使用者は、谷３３４の１つを通る作用線を有する、マットレス３１０上の力Ｆを発揮する。対応する反作用力Ｒは、ボルスター要素３３０により、使用者の上に行使される。特別な作用力Ｆの作用線に依存して、反作用力Ｒは、ボルスター要素３３０の表面３３８に垂直な作用線を有する。反作用力Ｒは、少なくとも水平力と垂直力のベクトル成分Ｒｘ、Ｒｙに分解される。
【００４３】
１またはそれ以上のボルスター要素３３０により、使用者に行使される反作用力Ｒの水平成分Ｒｘは、使用者が水平方向に塊（例えば、使用者の体）を加速するのを可能にする。これは、マットレス３１０での使用者の水平移動を容易にし、使用者が、より少ない努力で、転がり、回転し、またはマットレス３１０の外に動くのを可能にする。粘弾性発泡体を含む幾つかの従来のマットレスでは、粘弾性発泡体の形状復元特性が、発泡体中に使用者が「沈む」ようにし、これにより使用者の水平移動を禁止し、転がり、回転し、従来のマットレスから外に動く場合に、使用者は奮闘努力することになる。
【００４４】
図７、８は、本発明の他の具体例にかかるマットレス４１０を示す。この具体例は、図１〜６と関係して上で述べたマットレス１１０、２１０、３１０の具体例と、多くで同じ構造を採用し、同じ特性を有する。このように、以下の記載は、図１〜６に関係して上で述べた具体例と異なる構造および特性に主に焦点を当てる。構造および特性に関する追加の情報のために、および図７、８に記載され、以下で説明されるマットレス４１０の代わりにありそうな構造および特性については、図１〜６に関係する上記開示を参照すべきである。図１〜６に示された具体例の構造および特性に対応する、図７、８に示された具体例の構造および特性はこれ以降、４００番台の参照番号で示される。
【００４５】
図７を参照すると、マットレス４１０は、上面４１４、底面４１８、および上面４１４と底面４１８の間の厚さｔ（図８）を含む、マットレス４１０は、実質的に矩形形状であり、長さ寸法Ｌと幅寸法Ｗを有する（図７）。図７、８に示すようなマットレス４１０の記載された具体例では、上面４１４および底面４１８は、実質的に平坦である。
【００４６】
マットレス４１０は、第１または上部の粘弾性発泡体層４２２と、第２のまたは下部の非粘弾性発泡体層４２６とを含む。粘弾性発泡体層４２２は、粘弾性発泡体に関して体に合った低弾性の品質を提供し、一方、非粘弾性発泡体層は、従来のバネ系マットレスに一般に関連するマットレス４１０にいくらかの程度の反発性または跳ね返り（bounce）を拡張しおよび／または与える。
【００４７】
マットレス４１０は、粘弾性発泡体層４２２の上面４２２ａの下に配置される複数のボルスター要素４３０を含む。ボルスター要素４３０は、全体が円形の断面形状を有し、マットレス４３０の厚さ方向に延在する。換言すれば、ボルスター要素４３０は、円筒形で、マットレス４１０の厚さ方向に沿って延びる。このように、ボルスター要素４３０は、上で述べたボルスター要素１３０、２３０または３３０いずれに比較しても、長さは短く、数は多い。
【００４８】
記載された具体例では、ボルスター要素４３０は、非粘弾性発泡体層４２６の上面４２６ａと、非粘弾性発泡体層４２６の底面４２６ｂとの間に配置され、ボルスター要素４３０は、実質的に、非粘弾性発泡体層４２６に包まれる。しかしながら、ボルスター要素４３０は、非粘弾性発泡体層４２６に包まれるものに限定されない。
【００４９】
隣接するボルスター要素４３０は連続して配置され、ボルスター要素４３０は、マットレス４１０の幅Ｗに沿って延びる行と、マットレス４１０の長さＬに沿って延びる列とのアレイを形成する（図７）。ボルスター要素４３０のそれぞれの行は、実質的に同じで（即ち、ボルスター要素４３０のそれぞれの行は、同じ量と配置のボルスター要素４３０を有し）、ボルスター要素４３０のそれぞれの列は、実質的に同じである（即ち、ボルスター要素４３０のそれぞれの列は、同じ量と配置のボルスター要素４３０を有する）。更に、個々のボルスター要素４３０は、実質的に同じである。他の具体例では、隣接するボルスター要素４３０は、間を隔てるかまたは重なり、または他の断面形状を有するボルスター要素４３０が用いられても良い。更に、いずれの数のボルスター要素４３０の行または列を使用しても良く、ボルスター要素４３０は、互いに好適な方法で（例えば、間を隔てて、入れ子状に等）配置されても良い。
【００５０】
図８を参照して、ボルスター要素４３０は互いに同一平面上にある平坦な面４４８を含み、平坦な面４４８の集合体が、上面４４２ａに実質的に平行な１つの面を形成する。ボルスター要素４３０の連続した配置は、ボルスター要素４３０の隣接する行と列の間に複数の谷４３４を形成する。
【００５１】
上述のボルスター要素１３０、２３０、３３０のように、ボルスター要素４３０は、好適な高反発性ポリマー材料、例えばポリスチレン発泡体から形成される。幾つかの具体例では、ボルスター要素４３０は、拡張ポリマー（例えば、拡張エチレンビニルアセテート、ポリプロピレン、ポリエチレン等）を含んでも良い。ボルスター要素４３０は、適当なプロセス（例えば、直接拡張発泡体射出成形）でそれぞれ形成されても良い。他の具体例では、ボルスター要素４３０は、一体成形で互いに形成しても良い。ボルスター要素４３０は、非粘弾性発泡体層４２６から分離して形成され、続いて層４２６の中に配置され（例えば、層４２６の中に形成され、またはそうでなければ作り出されたキャビティ中に）、またはボルスター要素４３０は、同時射出成形プロセスを用いて、非粘弾性発泡体層４２６と同時に形成しても良い。記載されたマットレス４１０の具体例では、ボルスター要素４３０は、少なくとも約２００Ｎの硬さを有する。幾つかの具体例では、ボルスター要素４３０は、粘弾性発泡体層４２２の硬さの少なくとも約２．５倍で、粘弾性発泡体層４２２の硬さの約１０倍以下の硬さを有する。そのような具体例では、また、ボルスター要素４３０は、非粘弾性発泡体層４２６の硬さより大きな硬さを有し、例えば非粘弾性発泡体層４２６の硬さの少なくとも１．１倍、または（他の具体例では）非粘弾性発泡体層４２６の硬さの少なくとも１．５倍、または（更に他の具体例では）非粘弾性発泡体層４２６の硬さの少なくとも２倍の硬さを有する。
【００５２】
（例えば使用者の体重や活動に応じて）力を加えた場合、谷４３４を囲むマットレス４１０の領域４３２より、谷４３４に対応するマットレス４１０の領域４３６で、粘弾性発泡体層４２２は更に変形し、圧縮される。これは、層４２２、４２６に比較してボルスター要素４３０が比較的硬いことによる。このように、使用者は、発泡体層４２２、４２６が谷４３４の中に圧縮されることで、ボルスター要素４３０の位置を感じることができる。
【００５３】
谷４３４は、使用者に、マットレス４１０上での移動性（即ち、初期移動のてこの作用）が増加する、マットレス４１０上の位置または領域４３６を提供する。例えば、図８に記載されたように、使用者が移動または位置の変化を望んだ場合、使用者は、谷４３４の１つを通る作用線を有する、マットレス４１０上の力Ｆを発揮する。対応する反作用力Ｒは、ボルスター要素４３０により、使用者の上に行使される。反作用力Ｒは、少なくとも水平力と垂直力のベクトル成分Ｒｘ、Ｒｙに分解される。
【００５４】
１またはそれ以上のボルスター要素４３０により、使用者に行使される反作用力Ｒの水平成分Ｒｘは、使用者が水平方向に塊（例えば、使用者の体）を加速するのを可能にする。これは、マットレス４１０での使用者の水平移動を容易にし、使用者が、より少ない努力で、転がり、回転し、またはマットレス４１０の外に動くのを可能にする。粘弾性発泡体を含む幾つかの従来のマットレスでは、粘弾性発泡体の形状復元特性が、発泡体中に使用者が「沈む」ようにし、これにより使用者の水平移動を禁止し、転がり、回転し、従来のマットレスから外に動く場合に、使用者は奮闘努力することになる。
【００５５】
図９、１０は、本発明の他の具体例にかかるマットレス５１０を示す。この具体例は、図１〜８と関係して上で述べたマットレス１１０、２１０、３１０、４１０の具体例と、多くで同じ構造を採用し、同じ特性を有する。このように、以下の記載は、図１〜８に関係して上で述べた具体例と異なる構造および特性に主に焦点を当てる。構造および特性に関する追加の情報のために、および図９、１０に記載され、以下で説明されるマットレスの代わりにありそうな構造および特性については、図１〜８に関係する上記開示を参照すべきである。図１〜８に示された具体例の構造および特性に対応する、図９、１０に示された具体例の構造および特性はこれ以降、５００番台の参照番号で示される。
【００５６】
図９を参照すると、マットレス５１０は、上面５１４、底面５１８、および上面５１４と底面５１８の間の厚さｔ（図１０）を含む、マットレス５１０は、実質的に矩形形状であり、長さ寸法Ｌと幅寸法Ｗを有する（図９）。図９、１０に示すようなマットレス５１０の記載された具体例では、上面５１４および底面５１８は、実質的に平坦である。
【００５７】
マットレス５１０は、第１または上部の粘弾性発泡体層５２２と、第２のまたは下部の非粘弾性発泡体層５２６とを含む。粘弾性発泡体層５２２は、粘弾性発泡体に関して体に合った低反発性の品質を提供し、一方、非粘弾性発泡体層は、従来のバネ系マットレスに一般に関連するマットレス５１０にいくらかの程度の反発性または跳ね返り（bounce）を拡張しおよび／または与える。
【００５８】
上述のマットレス１１０、２１０、３１０、４１０のように、マットレス５１０は、粘弾性発泡体層５２２の上面５２２ａの下に配置される複数のボルスター要素５３０を含む。記載された具体例では、ボルスター要素５３０は、マットレス５１０の全体の長さＬに沿って延び、非粘弾性発泡体層５２６の中に配置される。特に、ボルスター要素５３０は、非粘弾性発泡体層５２６の上面５２６ａと底面５２６ｂとの間に配置され、ボルスター要素５３０は、実質的に、非粘弾性発泡体層５２６に包まれる。しかしながら、ボルスター要素５３０は、非粘弾性発泡体層５２６に包まれるものに限定されず、粘弾性発泡体層５２２の上面５２２ａと非粘弾性発泡体層５２６の底面５２６ｂとの間の厚さｔに沿ったいずれの点で、マットレス５１０を通って延びても良い。更に、ボルスター要素５３０は、マットレス５１０の長さＬより短くても良い。
【００５９】
マットレス５１０の記載された具体例では、ボルスター要素５３０は全体が四角形またはダイアモンド状の断面形状を有し、複数のボルスター要素５３０のそれぞれは実質的に同一である。隣接するボルスター要素５３０は、接続部分または薄い網５５２で接続されて１つのボルスター５５６を形成する。このように、ボルスター要素５３０と網５５２は、集合的にボルスター５５６と呼ばれる。
【００６０】
上述のボルスター要素１３０、２３０、３３０、４３０のように、ボルスター５５６は、好適な高反発性ポリマー材料、例えばポリスチレン発泡体から形成される。幾つかの具体例では、ボルスター５５６は、拡張ポリマー（例えば、拡張エチレンビニルアセテート、ポリプロピレン、ポリエチレン等）を含んでも良い。ボルスター５５６は、非粘弾性発泡体層５２６から分離して形成され、続いて層５２６の中に配置され（例えば、層５２６の中に形成され、またはそうでなければ作り出されたキャビティ中に）、またはボルスター５５６は、同時射出成形プロセスを用いて、非粘弾性発泡体層５２６と同時に形成しても良い。記載されたマットレス５１０の具体例では、ボルスター５５６は、少なくとも約２００Ｎの硬さを有する。幾つかの具体例では、ボルスター５５６は、粘弾性発泡体層５２２の硬さの少なくとも約２．５倍で、粘弾性発泡体層５２２の硬さの約１０倍以下の硬さを有する。そのような具体例では、また、ボルスター要素５３０は、非粘弾性発泡体層５２６の硬さより大きな硬さを有し、例えば非粘弾性発泡体層５２６の硬さの少なくとも１．１倍、または（他の具体例では）非粘弾性発泡体層５２６の硬さの少なくとも１．５倍、または（更に他の具体例では）非粘弾性発泡体層５２６の硬さの少なくとも２倍の硬さを有する。
【００６１】
図１０に関して、複数の谷５３４が、ボルスター５５６の隣接するボルスター要素５３０の間に形成される。それぞれの谷５３４は、隣接するボルスター要素５３０の、それぞれが面し、斜めの面５３８により形成される。記載されたマットレス５１０の具体例では、谷５３４は、ボルスター５５６を有するマットレス５１０の全体の長さＬに沿って延びる。（例えば使用者の体重や活動に応じて）力を加えた場合、谷５３４を囲むマットレス５１０の領域５３２より、谷５３４に対応するマットレス５１０の領域５３６で、粘弾性発泡体層５２２は更に変形し、圧縮される。これは、層５２２、５２６に比較してボルスター５５６が比較的硬いことによる。このように、使用者は、発泡体層５２２、２２６が谷５３４の中に圧縮されることで、ボルスター要素５３０の位置を感じることができる。
【００６２】
谷５３４は、使用者に、マットレス５１０上での移動性（即ち、初期移動のてこの作用）が増加する、マットレス５１０上の位置または領域５３６を提供する。例えば、図１０に記載されたように、使用者が移動または位置の変化を望んだ場合、使用者は、谷５３４の１つを通る作用線を有する、マットレス５１０上の力Ｆを発揮する。対応する反作用力Ｒは、ボルスター要素５３０により、使用者の上に行使される。特別な作用力Ｆの作用線に依存して、反作用力Ｒは、ボルスター要素５３０の表面５３８に垂直な作用線を有する。反作用力Ｒは、少なくとも水平力と垂直力のベクトル成分Ｒｘ、Ｒｙに分解される。
【００６３】
１またはそれ以上のボルスター要素５３０により、使用者に行使される反作用力Ｒの水平成分Ｒｘは、使用者が水平方向に塊（例えば、使用者の体）を加速するのを可能にする。これは、マットレス５１０での使用者の水平移動を容易にし、使用者が、より少ない努力で、転がり、回転し、またはマットレス５１０の外に動くのを可能にする。粘弾性発泡体を含む幾つかの従来のマットレスでは、粘弾性発泡体の形状復元特性が、発泡体中に使用者が「沈む」ようにし、これにより使用者の水平移動を禁止し、転がり、回転し、従来のマットレスから外に動く場合に、使用者は奮闘努力することになる。
【００６４】
図１１、１２は、本発明の他の具体例にかかるマットレス６１０を示す。この具体例は、図１〜１０と関係して上で述べたマットレス１１０、２１０、３１０、４１０、５１０の具体例と、多くで同じ構造を採用し、同じ特性を有する。このように、以下の記載は、図１〜１０に関係して上で述べた具体例と異なる構造および特性に主に焦点を当てる。構造および特性に関する追加の情報のために、および図１１、１２に記載され、以下で説明されるマットレスの代わりにありそうな構造および特性については、図１〜１０に関係する上記開示を参照すべきである。図１〜１０に示された具体例の構造および特性に対応する、図１１、１２に示された具体例の構造および特性はこれ以降、６００番台の参照番号で示される。
【００６５】
図１１を参照すると、マットレス６１０は、上面６１４、底面６１８、および上面６１４と底面６１８の間の厚さｔ（図１２）を含む、マットレス６１０は、実質的に矩形形状であり、長さ寸法Ｌと幅寸法Ｗを有する（図１１）。図１０、１１に示すようなマットレス６１０の記載された具体例では、上面６１４および底面６１８は、実質的に平坦である。
【００６６】
マットレス６１０は、第１または上部の粘弾性発泡体層６２２と、第２のまたは下部の非粘弾性発泡体層６２６とを含む。粘弾性発泡体層６２２は、粘弾性発泡体に関して体に合った低弾性の品質を提供し、一方、非粘弾性発泡体層は、従来のバネ系マットレスに一般に関連するマットレス６１０にいくらかの程度の反発性または跳ね返り（bounce）を拡張しおよび／または与える。
【００６７】
上述のマットレス１１０、２１０、３１０、４１０、５１０のように、マットレス６１０は、粘弾性発泡体層６２２の上面６２２ａの下に配置される複数のボルスター要素６３０を含む。記載された具体例では、ボルスター要素６３０は、マットレス６１０の全体の長さＬに沿って延び、非粘弾性発泡体層６２６の中に配置される。特に、ボルスター要素６３０は、非粘弾性発泡体層６２６の上面６２６ａと底面６２６ｂとの間に配置され、ボルスター要素６３０は、実質的に、非粘弾性発泡体層６２６に包まれる。しかしながら、ボルスター要素６３０は、非粘弾性発泡体層６２６に包まれるものに限定されず、粘弾性発泡体層６２２の上面６２２ａと非粘弾性発泡体層６２６の底面６２６ｂとの間の厚さｔに沿ったいずれの点で、マットレス６１０を通って延びても良い。更に、ボルスター要素６３０は、マットレス６１０の長さＬより短くても良い。
【００６８】
記載されたマットレス６１０の具体例では、ボルスター要素６３０は、全体が六角形の形状を有し、複数のボルスター要素６３０のそれぞれは、実質的に同一である。隣接するボルスター要素６３０は、接続部分または薄い網６５２で接続されて１つのボルスター６５６を形成する。このように、ボルスター要素６３０および網６５２は、まとめてボルスター６５６と呼ばれる。
【００６９】
上述のボルスター５５６のように、ボルスター６５６は、ポリスチレン発泡体のような、好適な高反発性ポリマー材料から形成されても良い。いくつかの具体例では、ボルスター６５６は、拡張ポリマー（例えば、拡張エチレンビニルアセテート、ポリプロピレン、ポリエチレン等）を含んでも良い。ボルスター６５６は、非粘弾性発泡体層６２６から分離して形成され、続いて層６２６の中に配置され（例えば、層６２６の中に形成され、またはそうでなければ作り出されたキャビティ中に）、またはボルスター６５６は、同時射出成形プロセスを用いて、非粘弾性発泡体層６２６と同時に形成しても良い。マットレス６１０の記載された具体例では、ボルスター６５６は少なくとも２００Ｎの硬さを有する。幾つかの具体例では、ボルスター６５６は、粘弾性発泡体層６２２の少なくとも約２．５の硬さを有し、そして粘弾性発泡体層６２２の硬さの約１０倍以下の硬さを有する。そのような具体例では、ボルスター要素６３０は非粘弾性発泡体層６２６より大きな硬さを有し、非粘弾性発泡体層６２６の硬さの少なくとも１．１倍より大きな硬さを有し、または（他の具体例では）非粘弾性発泡体層６２６の少なくとも１．５倍より大きな硬さを有し、または（更に他の具体例では）非粘弾性発泡体層６２６の少なくとも２倍より大きな硬さを有する。
【００７０】
図１２を参照すると、複数の谷６３４が隣接するボルスター６５６のボルスター要素６３０の間に形成される。それぞれの谷６３４は、隣接するボルスター要素６３０の互いに面する斜めの面６３８により形成される。マットレス６１０の記載された具体例では、谷６３４はボルスター６５６と共に、マットレス６１０の全体の長さＬに沿って延びる。（例えば、使用者の体重や運動に応じて）力を加えた場合、谷６３４を囲むマットレス６１０の領域６３２より、谷６３４に対応するマットレス６１０の領域６３６で、粘弾性発泡体層６２２は更に変形し、圧縮される。これは、層６２２、６２６に比較してボルスター６２６が比較的硬いことによる。このように、使用者は、発泡体層６２２、３２６が谷６３４の中に圧縮されることで、ボルスター要素６３０の位置を感じることができる。
【００７１】
谷６３４は、使用者に、マットレス６１０上での移動性（即ち、初期移動のてこの作用）が増加する、マットレス６１０上の位置または領域６３６を提供する。例えば、図１２に記載されたように、使用者が移動または位置の変化を望んだ場合、使用者は、谷６３４の１つを通る作用線を有する、マットレス６１０上の力Ｆを発揮する。反作用力Ｒは、ボルスター要素６３０により、使用者の上に行使される。特別な作用力Ｆの作用線に依存して、反作用力Ｒは、ボルスター要素６３０の表面６３８に垂直な作用線を有する。反作用力Ｒは、少なくとも水平力と垂直力のベクトル成分Ｒｘ、Ｒｙに分解される。
【００７２】
１またはそれ以上のボルスター要素６３０により、使用者に行使される反作用力Ｒの水平成分Ｒｘは、使用者が水平方向に塊（例えば、使用者の体）を加速するのを可能にする。これは、マットレス６１０での使用者の水平移動を容易にし、使用者が、より少ない努力で、転がり、回転し、またはマットレス６１０の外に動くのを可能にする。粘弾性発泡体を含む幾つかの従来のマットレスでは、粘弾性発泡体の形状復元特性が、発泡体中に使用者が「沈む」ようにし、これにより使用者の水平移動を禁止し、転がり、回転し、従来のマットレスから外に動く場合に、使用者は奮闘努力することになる。
【００７３】
上述のマットレス１１０、２１０、３１０、４１０、５１０、６１０の性能が規定される理論または科学の原理に同意するわけではないが、（その特性は上述された）発泡体マットレス中でのボルスター要素１３０、２３０、３３０、４３０、５３０、６３０を使用することで、マットレス上での使用者の移動性を損なうことなく、低反発性で、柔らかい感触で、かつ体に適合する特性または品質の粘弾性発泡体を有するマットレスを得ることができる。例えば、使用者は、比較的硬いボルスター要素１３０、２３０、３３０、４３０、５３０、６３０のそれぞれに力を加えることにより、転がり、回転し、支え、またはそうでなければ位置を変えることが、より可能となる。このように、幾つかの具体例では、そのようなボルスター要素１３０、２３０、３３０、４３０、５３０、６３０の使用は、多くの従来の粘弾性発泡体マットレスを用いて一般に経験する移動性の低下を制限または弱めることができる。更に、図１〜１２に記載された多くの具体例により証拠付けられるように、ボルスター要素１３０、２３０、３３０、４３０、５３０、６３０の形状、大きさ、量、位置、方向、および構造は、それゆえに、本質的にマットレスが、所望の感触（即ち、使用者による、粘弾性発泡体の体に適合する性能および圧力分散特性の感触）を有し、一方で、上述のような移動性を増す長所は残るように、選択される。
【００７４】
上で述べられ、図面に記載された具体例は、例示の方法により表され、本発明の概念や原理を制限することを意図しない。そのように、本発明の精神および範囲から離れることなく、当業者は、要素、それらの形状や配置のさまざまな変更が可能であることが理解されるであろう。例示の方法によってのみ、ここで開示および／または記載された多くのマットレスの具体例は、ボルスター要素の特別な構造または配置を有するものとして表される。そのような構造から個性的で望まれる特性が得られるが、本発明の他の具体例にかかるマットレスは、ここに開示および記載されたボルスター要素とは異なる、他のボルスター要素の構造または配置を有する。
【００７５】
上で開示し、図１〜１２に記載されたマットレス１１０、２１０、３１０、４１０、５１０、６１０の特性は、いずれかの大きさや形状を有する他のタイプのボディサポートに適用されても良いということを認識すべきである。例示のみの方法により、上述の幾つかの特性は、マットレスの上層、表面、布団、ソファ、または人または動物の体の一部または全てを支持し、または和らげるために使用される他の要素にも同様に適用される。このように、ここで使用された「マットレス」の用語は、（マットレスに加えて）そのような要素のいずれかおよび全てを言うことを意図する。
【００７６】
本発明の様々な特徴は、以下の請求の範囲に明記される。
【図１】
2016501672.tif 000003
【図２】
2016501672.tif 000004
【図３】
2016501672.tif 000005
【図４】
2016501672.tif 000006
【図５】
2016501672.tif 000007
【図６】
2016501672.tif 000008
【図７】
2016501672.tif 000009
【図８】
2016501672.tif 000010
【図９】
2016501672.tif 000011
【図１０】
2016501672.tif 000012
【図１１】
2016501672.tif 000013
【図１２】
2016501672.tif 000014
【国際調査報告】
2016501672.tif 000015
2016501672.tif 000016